(57)【要約】【課題】イルミネーション効果を向上した電子機器を提供する。【解決手段】実施形態の電子機器は、表示パネルと、前記表示パネルの周囲を取り囲むとともに開口部を有した筐体と、前記開口部内に一部が位置された板状の導光部材と、前記導光部材に重なって設けられ、前記導光部材の一部を覆うマスキング部材と、前記導光部材に設けられ前記マスキング部材の周囲に位置した突出部と、前記筐体の内側に設けられ、前記導光部材に光を供給し、前記突出部から外界に向けて光を照射する光源と、前記光源に所定量の電流を流して前記突出部の全体を光らせる第１モードと、前記光源に前記第１モードよりも少量の電流を流して前記突出部の一部を光らせる第２モードと、を切替え可能である電源ユニットと、を備える。【選択図】図３
2014081402.tif 000002
【特許請求の範囲】
【請求項１】
表示パネルと、
前記表示パネルの周囲を取り囲むとともに開口部を有した筐体と、
前記開口部内に一部が位置された板状の導光部材と、
前記導光部材に重なって設けられ、前記導光部材の一部を覆うマスキング部材と、
前記導光部材に設けられ前記マスキング部材の周囲に位置した突出部と、
前記筐体の内側に設けられ、前記導光部材に光を供給し、前記突出部から外界に向けて光を照射する光源と、
前記光源に所定量の電流を流して前記突出部の全体を光らせる第１モードと、前記光源に前記第１モードよりも少量の電流を流して前記突出部の一部を光らせる第２モードと、を切替え可能である電源ユニットと、
を備える電子機器。
【請求項２】
前記光源は、前記突出部と重なる位置で、前記表示パネルに近い位置とは反対側の位置に設けられる請求項１に記載の電子機器。
【請求項３】
前記突出部の表面には、前記突出部に到達した光の一部を透過させるとともに、前記突出部に到達した光の他の部分を反射させる被膜が設けられる請求項２に記載の電子機器。
【請求項４】
前記導光部材の中央部の近傍に設けられた第１壁部と、
前記導光部材の外周部の近傍に設けられた第２壁部と、
前記第１壁部と前記第２壁部との間に保持されるとともに、前記光源が実装された基板と、
を備え、
前記光源と前記第１壁部との間の距離は、前記光源と前記第２壁部との間の距離よりも大きい請求項３に記載の電子機器。
【請求項５】
前記突出部の一部は、光源に対向した部分である請求項４に記載の電子機器。
【請求項６】
表示パネルと、
前記表示パネルの周囲を取り囲むとともに開口部を有した筐体と、
前記開口部内に一部が位置された板状の導光部材と、
前記導光部材に設けられた突出部と、
前記筐体の内側に設けられ、前記導光部材に光を供給する光源と、
前記導光部材の中央部の近傍に設けられた第１壁部と、
前記導光部材の外周部の近傍に設けられた第２壁部と、
を備え、
前記光源は、前記第１壁部と前記第２壁部との間に保持されるとともに、前記光源と前記第１壁部との間の距離は、前記光源と前記第２壁部との間の距離よりも大きい電子機器。
【請求項７】
開口部を有した筐体と、
前記開口部内に一部が位置された板状の導光部材と、
前記導光部材に重なって設けられ、前記導光部材の一部を覆うマスキング部材と、
前記導光部材に設けられ前記マスキング部材の周囲に位置した突出部と、
前記筐体の内側に設けられ、前記導光部材に光を供給し、前記突出部から外界に向けて光を照射する光源と、
前記光源に所定量の電流を流して前記突出部の全体を光らせる第１モードと、前記光源に前記第１モードよりも少量の電流を流して前記突出部の一部を光らせる第２モードと、を切替え可能である電源ユニットと、
を備えるイルミネーション装置。
【発明の詳細な説明】
【技術分野】
【０００１】
本発明の実施形態は、表示画面を有する映像表示装置および電子機器、およびこれに用いられるイルミネーション装置に関する。
【背景技術】
【０００２】
均一な輝度でリング状の光を発することができるリング状発光体が開示されている。
【先行技術文献】
【特許文献】
【０００３】
【特許文献１】特開２００３−２９７１０８号公報
【発明の概要】
【発明が解決しようとする課題】
【０００４】
映像表示装置のイルミネーションは、ユーザの目に付き易い部分であるとともに、表示装置の見栄えを左右する部分である。このため、この部分の改良に対するニーズが存在していた。
【課題を解決するための手段】
【０００５】
実施形態の電子機器は、表示パネルと、前記表示パネルの周囲を取り囲むとともに開口部を有した筐体と、前記開口部内に一部が位置された板状の導光部材と、前記導光部材に重なって設けられ、前記導光部材の一部を覆うマスキング部材と、前記導光部材に設けられ前記マスキング部材の周囲に位置した突出部と、前記筐体の内側に設けられ、前記導光部材に光を供給し、前記突出部から外界に向けて光を照射する光源と、前記光源に所定量の電流を流して前記突出部の全体を光らせる第１モードと、前記光源に前記第１モードよりも少量の電流を流して前記突出部の一部を光らせる第２モードと、を切替え可能である電源ユニットと、を備える。
【図面の簡単な説明】
【０００６】
【図１】第１の実施形態の電子機器の一例である映像表示装置を示した正面図。
【図２】図１に示す映像表示装置の導光部材周りを拡大して示した斜視図。
【図３】図１に示すＦ３−Ｆ３線に沿った断面図。
【図４】図３に示すＦ４−Ｆ４線に沿った断面図。
【図５】図１に示す映像表示装置の光源であるＬＥＤのＩＶ−ＩＦ特性を示したグラフ。
【発明を実施するための形態】
【０００７】
以下、図１から図５を参照して、映像表示装置の実施形態について説明する。図１に示すように、実施形態の映像表示装置１１（テレビ）は、電子機器の一例であり、略長方形の外観を有している。以下の実施形態では、手前側（即ちユーザ側）を前方向Ｆ、ユーザから見て奥側を後方向Ｂ、ユーザから見て左側を左方向Ｌ、ユーザから見て右側を右方向Ｒ、ユーザから見て上方を上方向Ｕ、ユーザから見て下方を下方向Ｄと定義する。
【０００８】
図１に示すように、映像表示装置１１は、表示画面１２Ａが設けられる表示部１２と、表示部１２を支持する支持部１３（脚部、スタンド）と、を備えている。表示部１２の一部にイルミネーション装置１４が設けられている。イルミネーション装置１４は、例えば、後述する筐体２１、導光部材２２、第２マスキング部材２３、光源２４、および電源回路基板２５等から構成されている（図２、図３参照）。
【０００９】
図１、図３に示すように、表示部１２は、表示画面１２Ａをなしている平板状の表示パネル３１と、チューナ基板３２と、映像表示装置１１の各部を統括的に制御するシステム基板３３と、電源回路基板２５（電源ユニット）と、光源用基板３４（基板）と、光源用基板３４に実装される光源２４と、これらを取り囲む筐体２１（ケース、枠部）と、を有している。表示パネル３１は、例えば、液晶セルおよびバックライトが一体となった一体型の液晶パネルモジュールで構成されているが、液晶セル、バックライト、および拡散シート等が分離した構造であってもよい。表示パネル３１は、例えばプラズマディスプレイパネル、有機ＥＬ、プラスチックディスプレイパネル、シートディスプレイパネル等、他の種類のディスプレイパネルであってもよい。
【００１０】
図１から図３に示すように、筐体２１は、表示パネル３１の前方を覆うとともに枠状をなした第１マスキング部材３５（フロントカバー）と、第１マスキング部材３５を支持するとともに補強する支持部材３６と、第１マスキング部材３５の角部の近傍に設けられた開口部３７と、リモコン受光レンズ３８と、表示パネル３１の後方を覆うバックカバー４１と、を有している。言い換えると、筐体２１は、表示パネル３１の周囲を取り囲んでいる。また、筐体２１は、表示パネル３１を外界に露出させる露出部を有する。
【００１１】
図２、図３に示すように、表示部１２は、さらに、開口部３７内に一部が位置されるように第１マスキング部材３５に取り付けられた導光部材２２と、導光部材２２の一部を覆った第２マスキング部材２３（マスキング部材）と、を備えている。第２マスキング部材２３は、円盤状をなしており、導光部材２２の中央部分重なって配置されている。
【００１２】
導光部材２２（イルミネーションリング部品）は、例えば所定の厚みを有しており、全体として円盤状に設けられている。導光部材２２は、樹脂材料等で形成されており、例えば半透明で乳白色をなしている。導光部材２２は、半透明ではなく、透明であってもよい。さらに導光部材２２は、乳白色ではなく、基材部分を透明で形成し、光反射性のある拡散材の微粒子を多数含有させてもよい。
【００１３】
導光部材２２は、円盤形をなした板状部４２と、板状部４２から環状に突出した突出部４３と、突出部４３の頂面を覆う被膜４４と、を有している。板状部４２および突出部４３は、一体に成形されている。突出部４３は、環状をなして突出部４３の周囲に位置しているが、環の一部が途切れていても良い。
【００１４】
被膜４４は、いわゆるハーフミラー状に形成されている。被膜４４は、導光部材２２内部（或いは光源）から被膜４４に向けて照射された光の一部を外界に向けて透過させるとともに、導光部材２２内部（或いは光源）から被膜４４に向けて照射された光の他の部分を導光部材２２内部に向けて反射できる。被膜４４は、金属製の薄膜であり、例えばアルミニウムで形成されている。この被膜４４に使用できる金属は、アルミニウムに限定されるものではなく、例えば、ニッケルクロムやスズ等でもよいし、それ以外の金属でもよい。被膜４４は、例えばホットスタンプで突出部に接着される。
【００１５】
図３に示すように、導光部材２２と光源２４の頂面との間の距離は、例えば１ｍｍから２ｍｍ程度で極めて小さい寸法で構成され、これによって映像表示装置１１および筐体２１の薄型化および筐体２１内部の使用スペースの効率化が実現される。
【００１６】
図３、図４に示すように、支持部材３６は、第１壁部４５と、第２壁部４６と、光源用基板３４を保持・固定するための保持構造４７を有する。第１壁部４５および第２壁部４６は、第１マスキング部材３５を補強するとともに、光源用基板３４を間に挟んで光源用基板３４を保持できる。第１壁部４５は、導光部材２２の中央部の近傍に設けられている。第２壁部４６は、導光部材２２の外周部の近傍に設けられている。そして、光源２４の中央と第１壁部４５との間の距離Ｐは、光源２４の中央と第２壁部４６との間の距離Ｑよりも大きくなっている。言い換えると、支持部材３６には、光源用基板３４を支持する第１壁部４５と第２壁部４６が設けられており、その第１壁部４５と光源２４との距離と第２壁部４６と光源２４の距離とでは、第１壁部４５と光源２４との距離の方が大きい。
【００１７】
図４に示すように、保持構造４７は、指掛け部５１Ａを有し可撓性のある第１係合部５１（第１爪部）と、第１係合部５１と対向する位置に設けられる第２係合部５２（第２爪部）と、を有している。光源用基板３４は、第１係合部５１と第２係合部５２との間に位置され、第１係合部５１および第２係合部５２によって係合されることで保持される。図４に２点鎖線で示すように、指掛け部５１Ａに指を掛けて第１係合部５１を指で回動させた状態で、支持部材３６に対して光源用基板３４をワンタッチで簡単に着脱できる。このため、光源用基板３４を固定するねじは不要である。
【００１８】
図２、図３に示すように、第２マスキング部材２３は、所定の厚みを有し円盤形をなしており、導光部材２２の中央部分を覆っている。第２マスキング部材２３は、一般的な樹脂材料で形成され、光透過性を有しない。
【００１９】
図２に示すように、光源２４は、筐体２１の内側で、突出部４３と重なる位置に設けられている。より詳細には、光源２４は、突出部４３と重なる位置であって、表示パネル３１に近い位置５３とは反対側の位置５４に設けられる。言い換えると、光源２４は、突出部４３と重複する位置のうち、表示パネル３１から最も離れた位置に設けられている。また、光源２４は、光源用基板３４を介して、上記した第１壁部４５と第２壁部４６との間に保持されている。
【００２０】
光源２４は、一般的な上面発光タイプのＬＥＤで構成されている。光源２４は、実装された光源用基板３４の面と直交する方向および直交する方向に対して斜め方向に、主として光を照射することができる。光源２４は、導光部材２２に光を供給し、突出部４３を介して外界に光を照射（点灯）する。
【００２１】
図５に、光源２４（ＬＥＤ）のＩＶ−ＩＦ特性について示す。同図は、順方向に流れる電流（ＩＦ）が大きくなる場合に、光源２４（ＬＥＤ）の光度（ＩＶ：Luminous Intensity）が高くなることを示す。電源回路基板２５（電源ユニット）は、Ａの範囲で光源に電流を供給する第２モードと、Ｂの範囲で光源に電流を供給する第１モードと、第１モードと第２モードとの間の電流量の第３モードと、を切り替えて光源２４に電流を流すことができる。
【００２２】
第１モードでは、光源２４を流れる電流が比較的に多く、言い換えると、光源２４にはある所定量の電流が流れる。その結果、導光部材２２に照射される光量が多くなる。このため、被膜４４を透過する光の量が多くなり、導光部材２２の突出部４３全体が点灯する（すなわち、リング状に点灯する）。
【００２３】
第２モードでは、第１モードよりも光源２４に流れる電流が少なくなり、導光部材２２に照射される光量も少なくなる。その結果、被膜４４を透過する光の量も少なくなり、導光部材２２の突出部４３の一部が（一点に収束して）点灯する。すなわち、第２モードでは、図３に示すように、突出部４３中で光源２４に対向した部分Ｃを中心に点灯する。
【００２４】
また、第１モードおよび第２モードは、実際には、以下のように切り替えられる。例えば、映像表示装置１１の電源をオンした直後は、電源回路基板２５は、光源２４を第１モードで発光させ、突出部４３全体を明るく点灯させる。そして、時間の経過とともに、徐々に光源２４に供給する電流を弱くして（或いは段階的に光源２４に供給する電流を弱くして）、第２モードに移行させる。これによって、長時間第１モードで突出部４３を点灯させることに起因して、表示パネル３１の視認性が低下してしまうことがなく、同時に省電力化も図られる。
【００２５】
なお、この切換え方法は一例であり、第２モードから第１モードへ徐々に移行させてもよい。或いは、第１モードから第２モードへ短時間で変化させてもよいし、逆に第２モードから第１モードへ短時間で変化させてもよい。このように、短時間で両モード間を変化させる例は、チャンネルを変更した直後などに利用される。具体的には、第２モードから第１モードに短時間で変化させ、その後、時間をかけて第１モードから第２モードへ移行する。
【００２６】
第１の実施形態によれば、映像表示装置１１は、表示パネル３１と、表示パネル３１の周囲を取り囲むとともに開口部３７を有した筐体２１と、開口部３７内に一部が位置された板状の導光部材２２と、導光部材２２に重なって設けられ、導光部材２２の一部を覆うマスキング部材と、導光部材２２に設けられマスキング部材の周囲に位置した突出部４３と、筐体２１の内側に設けられ、導光部材２２に光を供給し、突出部４３から外界に向けて光を照射する光源２４と、光源２４に所定量の電流を流して突出部４３の全体を光らせる第１モードと、光源２４に第１モードよりも少量の電流を流して突出部４３の一部を光らせる第２モードと、を切替え可能である電源ユニットと、を備える。
【００２７】
この構成によれば、電流の量を調整するだけで、第１モードと第２モードとの間で突出部４３の表示モードを変更することができる。これによって、簡単な構造で２つのモードのイルミネーション効果を発揮可能な映像表示装置１１を提供できる。また、導光部材２２は、板状をなしているため、リング形の導光部材を利用する場合に比べて、中央部分を光の伝達に利用できるため、光の伝達性を良好にできる。これによって、第１モードの際に、光源から遠い位置でも明るく照らすことができる。
【００２８】
光源２４は、突出部４３と重なる位置で、表示パネル３１に近い位置とは反対側の位置に設けられる。この構成によれば、光源２４からの光が表示パネル３１における画面表示を邪魔することがなく、表示パネル３１の視認性を確保しつつ、所望のイルミネーション効果を得ることができる。
【００２９】
また、突出部４３の表面には、突出部４３に到達した光の一部を透過させるとともに、突出部４３に到達した光の一部を反射させる被膜４４が設けられる。この構成によれば、第１モードおよび第２モードの間の視覚効果の違いをさらに増強できる。すなわち、第１モードにおいては、十分な光が突出部４３全体に供給されるために、被膜４４の影響をほとんど受けることなく突出部４３全体が明るく照らされる。一方、第２モードにおいては、十分な光が照射される突出部４３の一部において光が被膜４４を透過して、その結果突出部４３の一部が点灯する。そして、突出部４３の他の部分に到達した弱い光は被膜４４を透過することなく遮られる。
【００３０】
また、映像表示装置１１は、導光部材２２の中央部の近傍に設けられた第１壁部４５と、導光部材２２の外周部の近傍に設けられた第２壁部４６と、第１壁部４５と第２壁部４６との間に保持されるとともに、光源２４が実装された基板と、を備え、光源２４と第１壁部４５との間の距離は、光源２４と第２壁部４６との間の距離よりも大きい。
【００３１】
この構成によれば、光源２４が第２壁部４６に寄って設けられ、第１壁部４５から遠い位置に設けられるため、光源２４から照射される光が第１壁部４５によって遮られることを防止できる。すなわち、光源２４に第１壁部４５が近いと光が遮られてしまうためである。これによって、突出部４３に十分に光を供給することができ、第１モードにおいて突出部４３全体を明るく照らすことができる。
【００３２】
また、突出部４３の一部は、光源２４に対向した部分である。この構成によれば、第２モードにおいて、表示パネル３１から遠い位置で突出部４３を光らせることができる。これによって、表示パネル３１の視認性に悪影響を及ぼすことなく、望ましいイルミネーション効果を得ることができる。
【００３３】
なお、映像表示装置１１（電子機器）或いはこれに用いられるイルミネーション装置１４は、上記実施形態そのままに限定されるものではなく、実施段階ではその要旨を逸脱しない範囲で構成要素を変形して具体化できる。
【００３４】
具体的には、光源２４（ＬＥＤ）は、上面発光タイプのものではなく、例えば全方向照射タイプのＬＥＤを用いることもできる。また、光源２４（ＬＥＤ）の電極脚を所定角度に折り曲げて、導光部材２２を横切る方向と導光部材に沿った方向の両方向に光を照射できるように光源（ＬＥＤ）を設置してもよい。さらに、上記実施形態では、第２マスキング部材２３が配置されているが、第２マスキング部材２３に代えて、薄型のスイッチやユーザの指等の接触を感知可能なセンサ等を配置してマスキングの代わりにしてもよい。
【００３５】
さらに、上記実施形態に開示されている複数の構成要素の適宜な組み合わせにより種々の発明を形成できる。例えば、実施形態に示される全構成要素から幾つかの構成要素を削除してもよい。更に、異なる実施形態に亘る構成要素を適宜組み合わせてもよい。
【符号の説明】
【００３６】
１１…映像表示装置、１２…表示部、１２Ａ…表示画面、１４…イルミネーション装置、２１…筐体、２２…導光部材、２３…第２マスキング部材、２４…光源、２５…電源回路基板、３１…表示パネル、３４…光源用基板、３７…開口部、４３…突出部、４４…被膜、４５…第１壁部、４６…第２壁部、５３…近い位置、５４…反対側の位置、Ｃ…光源に対向した部分
【図１】
2014081402.tif 000003
【図２】
2014081402.tif 000004
【図３】
2014081402.tif 000005
【図４】
2014081402.tif 000006
【図５】
2014081402.tif 000007